(57)【特許請求の範囲】
【請求項１】
ヘルメットの装着に用いられるバンドの一端部に設けられ、前記バンドの他端部に形成される被係合部との係合により前記バンドを連結するヘルメット用のバックルであって、
前記バンドの前記一端部に取り付けられるバンド係止部材と、
前記バンド係止部材に傾動可能に取り付けられる解除部材と、を備え、
前記バンド係止部材が、
前記被係合部と係合する係合部と、
前記係合部を前記被係合部に付勢する付勢力を前記係合部に加える付勢部と、を有し、
前記解除部材が、
前記バンド係止部材に連結された傾動中心である基端部と、
当該解除部材の傾動により前記バンドに対して接近及び離脱する先端部と、
前記基端部と前記先端部との間で前記付勢部に連結される連結部と、を有し、
前記バンドから離脱する方向への傾動力を前記先端部が受けることにより、前記連結部を介して、前記付勢力に抗した解除力が前記係合部に加えられる
ことを特徴とするヘルメット用のバックル。
【請求項２】
前記被係合部が、鋸歯状の被係合歯列を有し、
前記係合部が、前記被係合歯列に係合可能な爪部を有し、
前記付勢部が、前記爪部が連結されて該爪部に前記付勢力を加える片持ち梁とを有し、
前記連結部が、前記片持ち梁の先端に連結される
請求項１に記載のヘルメット用のバックル。
【請求項３】
前記連結部が、前記片持ち梁の先端部と係合するフックを有し、
前記フックの返しが、前記片持ち梁の先端部における前記バンド側と当接する
請求項２に記載のヘルメット用のバックル。
【請求項４】
前記バンド係止部材が、バンド面に沿って延びる軸部を有し、
前記解除部材の基端部が、前記軸部を回転可能に支持する軸受け部を有し、
前記軸受け部が、前記軸部に嵌脱可能な樹脂製である
請求項１〜３のいずれか一項に記載のヘルメット用のバックル。
【請求項５】
前記解除部材が、前記バンド係止部材における前記バンドとは反対側を覆う板状をなし、
前記バンド係止部材が、前記解除部材の前記基端部における前記バンド側に当接する当接部を有し、
前記当接部が、前記解除部材の前記基端部を前記バンドに対して離脱させる方向に付勢し、前記解除部材の前記先端部を前記バンドに対して接近させる方向に付勢する
請求項１〜４のいずれか一項に記載のヘルメット用のバックル。
【請求項６】
前記バンド係止部材及び前記解除部材が、前記バンドよりも硬質の樹脂材料にて形成されている
請求項１〜５のいずれか一項に記載のヘルメット用のバックル。
【請求項７】
ヘッドバンドの設けられたヘルメットであって、
前記ヘッドバンドは、前記ヘルメットに取り付けられる取付部と、前記取付部に設けられた２つの分岐部からそれぞれ分岐され、後頭部側である後方向にてバックルを介して連結される２つの分岐バンドとを有し、
前記２つの分岐バンドのうちの一方の分岐バンドは、バンド面に被係合部を有し、
前記２つの分岐バンドのうちの他方の分岐バンドは、前記一方の分岐バンドを挿通支持するバンド支持部を備え、
前記バンド支持部が、前記２つの分岐バンドを連結させるバックルとして請求項１〜６のいずれか一項に記載のヘルメット用のバックルを有する
ことを特徴とするヘルメット。
【請求項８】
前記分岐部から分岐された前記分岐バンドは、当該分岐部に回動可能に連結されている
請求項７に記載のヘルメット。
【請求項９】
前記分岐部が、同心円状をなす複数の摺動溝を有し、
前記分岐バンドが、前記分岐部に対向する面に同心円状をなして複数の前記摺動溝の各々に嵌合する複数の摺動突部を有する
請求項８に記載のヘルメット。
【請求項１０】
前記分岐バンドが、ポリエチレンを含む樹脂材料により形成されている
請求項８又は９に記載のヘルメット。
【発明の詳細な説明】
【技術分野】
【０００１】
本発明は、ヘルメットの装着に用いられるバンドを固定するヘルメット用のバックル、及び、該バックルがバンドに用いられるヘルメットに関する。
【背景技術】
【０００２】
従来、頭部に着用され、頭部を保護するヘルメットが知られている。こうしたヘルメットには、ヘルメットの外殻を構成する半球状の帽体（シェル）と、帽体の内部に設けられ、帽体との間に所定の間隔を保持するハンモックと、帽体内部に設けられ着用者の頭部を囲繞してヘルメットを固定させるヘッドバンドとが設けられている。また、ヘッドバンドにはその周長が着用者の頭部の大きさに合わせ調整できる機構が設けられている。そして、こうした調整機構を有するヘルメットのヘッドバンドとして、例えば特許文献１に記載のヘッドバンドがある。
【０００３】
特許文献１に記載のヘッドバンドには、一方の端部に鋸歯状の被係合歯列が備えられ、他方の端部には、被係合歯列との係合によりバンドを連結するバックルが連結されている。このバックルは、鋸歯受けの突部を有する係合爪を備え、係合爪には指がかかる厚肉部が設けられている。そして、係合爪の厚肉部がバンド面から引き上げられることにより、バンドの被係合歯列と係合爪との係合状態が解除される。しかしながら、係止爪の肉厚部の操作に要する力は、係合力を強めて係合状態を安定させるようにするとそれに応じて強い力が必要になるなど、設計等に応じて変化するものとなっていた。そこで、設計等に応じて適宜変更される係合力に対し、操作に要する力を適切に調整することができるヘルメットのヘッドバンドとして、例えば特許文献２に記載のヘッドバンドがある。
【０００４】
特許文献２に記載のヘッドバンドは、上記と同様に、同ヘッドバンドの一方の端部に鋸歯状の被係合部を備え、該バンドの他方の端部に鋸歯受けの突部を有する係合部をそれぞれ備えている。また、同ヘッドバンドには、係合部をバンド面に向けて押し下げる揺動部が設けられている。この揺動部は、その自由端を押し下げると回動軸を挟んで持ち上がる作用端を有しており、持ち上がる作用端が上記係合部に当接して該係合部をバンド面から押し上げるようになっている。このように係合部をバンド面から押し上げる力を、てこの原理を利用して揺動部から係止部に伝達するようにすることにより、設計などに応じて係合力を変更した場合であれ、該係合を解放する際、揺動部の自由端の操作に要する押圧力を適切な力に調整することができるようになる。
【先行技術文献】
【特許文献】
【０００５】
【特許文献１】特開２００３−４９３１５号公報
【特許文献２】特許第４１０３０４３号公報
【発明の概要】
【発明が解決しようとする課題】
【０００６】
上述の特許文献２のヘッドバンドによれば、係合部の係合解除に要する力を適切に調整することが可能にはなるものの、操作に要する力を一定にしようとすると、係止部の押し上げに強い力を要するほど、揺動部の自由端を回転軸から離し、自由端を押すことができる長さを長くしなければならなくなる。すなわち揺動部は、強い力に対応しようとすると、自由端がバンドに対して離れるようになるため、バンドから離れた部分が何かに引っかかるようなことを防止するために当該自由端の周囲を覆うように設けられている保護部の大きさが大きくなることなどが避けられないものとなっている。
【０００７】
本発明は、このような実情に鑑みなされたものであって、その目的は、ヘルメットの装着に用いるバンドの連結の解除に要する力を抑えることと、構造の大型化を抑えることとの両立が可能なヘルメット用のバックル、及び、該バックルがバンドに用いられるヘルメットを提供することにある。
【課題を解決するための手段】
【０００８】
上記課題を解決するために、本発明は、ヘルメットの装着に用いられるバンドの一端部に設けられ、前記バンドの他端部に形成される被係合部との係合により前記バンドを連結するヘルメット用のバックルであって、前記バンドの前記一端部に取り付けられるバンド係止部材と、前記バンド係止部材に傾動可能に取り付けられる解除部材と、を備え、
前記バンド係止部材が、前記被係合部と係合する係合部と、前記係合部を前記被係合部に付勢する付勢力を前記係合部に加える付勢部と、を有し、前記解除部材が、前記バンド係止部材に連結された傾動中心である基端部と、当該解除部材の傾動により前記バンドに対して接近及び離脱する先端部と、前記基端部と前記先端部との間で前記付勢部に連結される連結部と、を有し、前記バンドから離脱する方向への傾動力を前記先端部が受けることにより、前記連結部を介して、前記付勢力に抗した解除力が前記係合部に加えられることを要旨とする。
【０００９】
上記課題を解決するために、本発明は、ヘッドバンドの設けられたヘルメットであって、前記ヘッドバンドは、前記ヘルメットに取り付けられる取付部と、前記取付部に設けられた２つの分岐部からそれぞれ分岐され、後頭部側である後方向にてバックルを介して連結される２つの分岐バンドとを有し、前記２つの分岐バンドのうちの一方の分岐バンドは、バンド面に被係合部を有し、前記２つの分岐バンドのうちの他方の分岐バンドは、前記一方の分岐バンドを挿通支持するバンド支持部を備え、前記バンド支持部が、前記２つの分岐バンドを連結させるバックルとして上述したヘルメット用のバックルを有することを要旨とする。
【００１０】
このような構成によれば、解除部材の先端部がバンドから離間する方向に回転することにより、解除部材の連結部を介して、バンド係止部材の係合部に解除力が加えられ、バンド係止部材の係合部とバンドの被係合部との係合が解除されるようになる。この際、てこの原理を利用してのバンドの解除操作が行われるため、バンドの被係合部とバンド係止部材の係合部との係合を解除させるために現に要する力の強弱にかかわらず、解除部材の先端部の操作に要する力を適切に調整することができるようになる。
【００１１】
また、バンド係止部材の係合部に加えられる付勢力の一部は、解除部材の連結部を介して、解除部材の先端部に作用し続けることになる。そのため、バンドから離される方向への傾動力を先端部が受けない場合、こうした先端部は、上述した付勢力に従ってバンドに近い位置に配置されるようになる。これにより、先端部を含む解除部材がそれの回転範囲においてバンドに近い状態でバンドが連結されるため、こうした解除部材を有するバックルを小型化することが可能になる。
【００１２】
さらに本発明は、上述したヘルメット用のバックルにおいて、前記被係合部が、鋸歯状の被係合歯列を有し、前記係合部が、前記被係合歯列に係合可能な爪部を有し、前記付勢部が、前記爪部が連結されて該爪部に前記付勢力を加える片持ち梁とを有し、前記連結部が、前記片持ち梁の先端に連結されることを要旨とする。
【００１３】
このような構成によれば、係合部における片持ち梁が、爪部に付勢力を加え、当該片持ち梁の先端に、解除部材の連結部が連結される。そのため、被係合歯列と爪部との隙間を同じ程度空けるうえでは、片持ち梁の先端以外に連結部が連結される態様と比べ、片持ち梁に加える力を小さくすることが可能である。そのため、バンドの被係合部とバンド係止部材の係合部との係合を解除するうえでは、解除部材の先端部に必要とされる回転力を小さくすることが可能であるから、バックルの操作性を高めることが可能にもなる。
【００１４】
さらに本発明は、上述したヘルメット用のバックルにおいて、前記連結部が、前記片持ち梁の先端部と係合するフックを有し、前記フックの返しが、前記片持ち梁の先端部における前記バンド側と当接することを要旨とする。
【００１５】
このような構成によれば、片持ち梁の先端部に対して当該先端部のバンド側から連結部が当接するため、片持ち梁とバンドとの間の空間をバンド係止部と解除部材との連結部位として利用することが可能になる。そのため、バックルの薄型化を図ることが可能になる。
【００１６】
さらに本発明は、上述したヘルメット用のバックルにおいて、前記バンド係止部材が、バンド面に沿って延びる軸部を有し、前記解除部材の基端部が、前記軸部を回転可能に支持する軸受け部を有し、前記軸受け部が、前記軸部に嵌脱可能な樹脂製であることを要旨とする。
【００１７】
このような構成によれば、バンド係止部材と解除部材とが、軸部と該軸部に嵌脱可能な樹脂製の軸受け部との嵌合により一体化されるため、バンド係止部材と解除部材とで構成されるバックルの組み立てが容易になる。また、バンド係止部材と解除部材とが軸部を介して回動可能に構成されるようになるため、解除部材の先端部の回転操作も容易となるとともに、先端部と基端部との間に解除操作の都度かかる疲労を減らすことができる。そのため、基端部とバンド係止部材とが可撓性の部材で連結されているような場合に比べて、解除操作の繰り返しに対する耐久性を向上させることができるようになる。
【００１８】
さらに本発明は、上述したヘルメット用のバックルにおいて、前記解除部材が、前記バンド係止部材における前記バンドとは反対側を覆う板状をなし、前記バンド係止部材が、前記解除部材の前記基端部における前記バンド側に当接する当接部を有し、前記当接部が、前記解除部材の前記基端部を前記バンドに対して離脱させる方向に付勢し、前記解除部材の前記先端部を前記バンドに対して接近させる方向に付勢することを要旨とする。
【００１９】
このような構成によれば、解除操作されていない場合、解除部材の先端部はバンドに近い位置で保持されるようになる。そのため、バックルの小型化がより好適に行えるようになる。
【００２０】
さらに本発明は、上述したヘルメット用のバックルにおいて、前記バンド係止部材及び前記解除部材が、前記バンドよりも硬質の樹脂材料にて形成されていることを要旨とする。
【００２１】
このような構成によれば、バンド係止部材をバンドよりも硬質の部材を用いることで、バンド係止部材の付勢部が係合部に加える付勢力、あるいはバンド係止部材の当接部が解除部材に与える付勢力などを高めることができる。
【００２２】
さらに本発明は、上述したヘルメットにおいて、前記分岐部から分岐された前記分岐バンドは、当該分岐部に回動可能に連結されていることを要旨とする。
このような構成によれば、バンドの締め付け位置を調整することができるため、着用者の感じる違和感を抑制することができる。また、バンドとしても、頭部の形状への適合性が向上し、適切な装着が期待される。
【００２３】
さらに本発明は、上述したヘルメットにおいて、前記分岐部が、同心円状をなす複数の摺動溝を有し、前記分岐バンドが、前記分岐部に対向する面に同心円状をなして複数の前記摺動溝の各々に嵌合する複数の摺動突部を有することを要旨とする。
【００２４】
このような構成によれば、分岐部の摺動溝と分岐バンドの摺動突部とが各々の全周に渡って嵌合するため、取付部に対して分岐バンドが回動可能になる一方、これらの嵌合力が高められもするため、こうした嵌合が外れるおそれが低減される。つまり、バンドは柔軟性のある材料から構成されているため、分岐部や分岐バンドは外力により歪むおそれがあるが、分岐部と分岐バンドとの嵌合している長さが長いことから、上述した歪みに対する嵌合状態の維持力が強くなる。また、摺動溝や摺動突部が分岐部や分岐バンドと同じ材料から形成されているため、嵌合を維持しつつある程度歪むこともできるようにもなる。これにより、ヘルメットのヘッドバンドの柔軟性が維持されるようになる。
【００２５】
さらに本発明は、上述したヘルメットにおいて、前記分岐バンドが、ポリエチレンを含む樹脂材料により形成されていることを要旨とする。
このような構成によれば、バンドに形成される回動部に、適度な強度と柔軟性を付与することができるようになる。
【発明の効果】
【００２６】
このようなヘルメット用のバックル、及び、該バックルがバンドに用いられるヘルメットによれば、ヘルメットの装着に用いるバンドの連結の解除に要する力を抑えることと、構造の大型化を抑えることとが両立可能になる。
【図面の簡単な説明】
【００２７】
【図１】本発明に係るヘルメット用のバックルが設けられたヘルメットの具体化された一実施形態について、バックルの設けられているヘルメット後側の構造を示す背面図。
【図２】同実施形態のヘルメットに内装されるヘッドバンドの展開構造を示す平面図。
【図３】同実施形態のヘッドバンドの一部であって、バックル及びバックルが取り付けられるバンドの正面構造を示す正面図。
【図４】同実施形態のヘッドバンドの一部であって、バックルで係止されている２つのベルトの係合状態の斜視構造を示す斜視図。
【図５】同実施形態のバックルの斜視構造を示す斜視図。
【図６】同実施形態のバックルについて、図４の６−６線における断面構造を示す断面図。
【図７】同実施形態のバックルについて、ベルトの係合が開放される状態における断面構造を示す断面図。
【図８】同実施形態のヘルメットについて、ベルトが回動支持される分岐部の分解構造を示す平面図。
【図９】本発明に係るヘルメット用のバックルのその他の実施形態について、バックルを構成する係止部の斜視構造を示す斜視図。
【発明を実施するための形態】
【００２８】
以下、本発明のヘルメット用のバックル及び該バックルを備えるヘルメットが具体化された一実施形態について、図１に従って説明する。なお、このヘルメットは主に人の頭部に着用される頭部保護用のヘルメットである。
【００２９】
図１に示されるように、ヘルメットは、その外殻が中空半球状の帽体１０により構成されている。帽体１０は、例えばアクリロニトリルブタジエンスチレン共重合体等のＡＢＳ樹脂によって形成されたものであり、中空の半球形状が形成する周状の開口である開口部１２には外周側に折り返された折り返し部１４が設けられている。なお、図示された後側に対し、図示されていない前側には雨や落下物等から使用者の顔面を保護するように外周方向に突出する庇部が設けられていてもよい。なお、このヘルメットは、後側に後頭部側を配置させ、前側に顔面を向けるようにして着用者の頭部に装着される。また、このヘルメットは、帽体１０において、開口部１２の開口する側が下側であり、半球形状の頂部側が上側である。
【００３０】
帽体１０には、着用者の頭部に対して帽体１０の位置を固定する周状のヘッドバンド２０が開口部１２に沿って周状に設けられている。ヘッドバンド２０は、一方の端部としてヘッドバンド２０の外周側面であるバンド面３１に被係合歯列としての複数の凹部３２が形成されている分岐バンドとしての調整バンド３０を有し、他方の端部としてヘッドバンド２０の外周側面であるバンド面４１に調整バンド３０を重ね合わさせて保持する分岐バンドとしての保持バンド４０を有している。保持バンド４０には、そこに重ね合わされた調整バンド３０の位置を保持バンド４０に連結することのできるバックル５０が設けられている。バックル５０は、保持バンド４０と調整バンド３０との連結を開放操作により解除することもできる。これにより、ヘッドバンド２０は、保持バンド４０に重ねあわされる調整バンド３０の長さの変化に応じて調整される周長に基づいて頭部に対する締め付け具合が調整されるようになっている。そして、適切に調整された締め付け状態は、バックル５０が調整バンド３０と保持バンド４０とを連結し続けることにより維持されるようになっている。
【００３１】
次に、図２を参照してヘッドバンド２０について詳しく説明する。なお、図２は、帽体１０から取り外されたヘッドバンド２０を外周面側が示されるように展開した平面図であり、このヘッドバンド２０は、帽体１０に取り付けられた状態では、両端部がヘルメットの後側（後頭部側）に配置され、中央部がヘルメットの前側（顔面側）に配置される。
【００３２】
ヘッドバンド２０には、ヘルメットの前側から後側に渡り開口部１２を半周以上該開口部１２に沿って延びるメインバンド２１が設けられているとともに、上述した調整バンド３０及び保持バンド４０がメインバンド２１の後側寄りから下後側に向けて分岐されて延びるバンドとしてそれぞれ設けられている。
【００３３】
メインバンド２１、調整バンド３０及び保持バンド４０はそれぞれ、低密度ポリエチレン（ＬＤＰＥ）、直鎖状低密度ポリエチレン（Ｌ−ＬＤＰＥ）、もしくは高密度ポリエチレン（ＨＤＰＥ）などのポリエチレンからなる樹脂材料から形成されている。本実施形態のＬＤＰＥは、例えば、密度０．９１０〜０．９２５［ｇ／ｃｍ３］、結晶化度４５〜５５［％］、融点９８〜１１５［℃］であり、Ｌ−ＬＤＰＥは、例えば、密度０．９１８〜０．９４０［ｇ／ｃｍ３］、結晶化度５０〜６０［％］、融点１２２〜１２４［℃］である。また、ＨＤＰＥは、例えば、密度０．９４１〜０．９７０［ｇ／ｃｍ３］、結晶化度６５〜８５［％］、融点１３０〜１３７［℃］である。なお、ヘッドバンド２０は、通常、柔らかい材料であると被り心地が向上する傾向にあるが一方、少し硬い材料であるほうが嵌合時などの強度が向上する傾向にもあることから、本実施形態では、これら被り心地と強度とに関する条件を好適な状態にすることのできる材料としてポリエチレンが選択されている。
【００３４】
メインバンド２１は、帽体１０の内周面に対向する位置に４つのバンド係止部２２を備えており、それらバンド係止部２２が、各バンド係止部２２に対応して帽体１０の内周面に形成されている図示しないヘッドバンド取付部に嵌合されるようになっている。つまり、帽体１０内側の各ヘッドバンド取付部に、対応するバンド係止部２２が嵌合されることによって、ヘッドバンド２０が帽体１０に取り付けられる。また、メインバンド２１は、後側寄りである端部側にあって、連続する２つのバンド係止部２２の間に設定される分岐位置にそれぞれ分岐部２３Ａ，２３Ｂを備えており、一方の分岐部２３Ａから調整バンド３０が分岐され、他方の分岐部２３Ｂから保持バンド４０が分岐されている。
【００３５】
調整バンド３０は、一方の分岐部２３Ａに後側に延びるように連結されており、一方の分岐部２３Ａに連結される連結部３３と、連結部３３から後方下側に延びる中間部３４と、中間部３４より後方に延び、保持バンド４０に重ね合わせることのできる被係合部としての調整部３５とが設けられている。調整部３５は保持バンド４０に重ね合わせることができるように直線状に形成されているとともに、上述した複数の凹部３２がバンド面３１に形成されている。各凹部３２は、バンド幅方向に対して直交する方向に長い矩形状に形成されているとともに、図４に示すように、バンド先端側に厚み方向に垂直な側面を有し、バンド分岐部側である基端側に厚み方向に対して傾斜する傾斜面を有している。
【００３６】
図３に示すように、保持バンド４０は、他方の分岐部２３Ｂに後側下側に延びるように連結されており、他方の分岐部２３Ｂに連結される連結部４３と、連結部４３から後方下側に延びる中間部４４と、中間部４４より後方に延び、調整バンド３０を重ね合わせることのできるバンド支持部としての保持部４５とが設けられている。保持部４５は調整バンド３０を重ね合わせることができるように直線状に形成されている。保持部４５のバンド面４１には、バンド先端側にはバックルを取り付けるバックル取付部４６と、バックル取付部４６よりもバンド分岐部側である基端側には重ね合わされた調整バンド３０をバンド面４１に沿わせて保持するバンド保持部４７とが形成されている。
【００３７】
バックル取付部４６には、バンド面４１から突出し、保持バンド４０の延びる向きに沿って延びる２つのバックル保持部４６Ａが保持バンド４０の幅方向に対向するように配置されている。対向する２つのバックル保持部４６Ａの間には、調整バンド３０が挿通可能であるとともに、バックル５０を嵌合可能である間隔が確保されている。つまり、バックル５０はバックル取付部４６に嵌め込まれることで、各側面５１Ａ，５１Ｂをそれぞれ対応するバックル保持部４６Ａに対向させるようにしてバックル取付部４６に取り付けられる。
【００３８】
また、図４を併せ参照すると、各バックル保持部４６Ａにはバックル５０を嵌合させるための２つの嵌合孔４６ａ，４６ｂが保持バンド４０の延びる向きに所定の間隔を空けてそれぞれ設けられている。バンド保持部４７には、バンド面４１から突出する複数のかぎ爪４８が保持バンド４０の延びる方向に沿って２列となるように設けられているとともに、２列の間には、調整バンド３０の幅以上である調整バンド３０を挿通させることができる間隔が確保されている。また、各列のかぎ爪４８の先端部は、他方の列方向に突出された突出部を有しているとともに、突出部とバンド面４１との間に調整バンド３０の厚み以上である調整バンド３０を挿通させることができる間隔が確保されている。これにより、２列のかぎ爪４８の間に調整バンド３０が挿通されると、並列するかぎ爪４８の間に調整バンド３０の幅方向が保持されるとともに、突出部とバンド面４１との間に調整バンド３０の厚み方向が保持される。
【００３９】
バックル５０には、結合を解除操作するためバンド面４１から離間する方向へ移動可能な自由端部である先端部５１と、保持バンド４０に連結される基端部５２とが設けられている。本実施形態では、バックル取付部４６に取り付けられたバックル５０は、保持バンド４０に対する調整バンド３０の進入方向に対向する側である、保持バンド４０の先端側にバックル５０の先端部５１が配置され、保持バンド４０に対する調整バンド３０の退出方向に対向する側である保持バンド４０の基端側にバックル５０の基端部５２が配置される。そして、着用者が先端部５１をバンドから離間させるように、先端部から基端部に力を加えるように操作すると、保持バンド４０には調整バンド３０から離間させる、つまり調整バンド３０が保持バンド４０から引き抜かれるように力が加わる。これにより、先端部５１の係合解除操作が、調整バンド３０を保持バンド４０から引き抜かせる操作にもなり、バックル５０の解除操作が、ヘッドバンド２０の解除に要するバックルの係合解除及びバンドの引き抜きにかかる複数の操作を一体として行わせることができるようになる。
【００４０】
図５に示すように、バックル５０は、保持バンド４０に嵌合固定されて調整バンド３０を係止するバンド係止部材５５と、調整バンド３０に対するバンド係止部材５５の係止を解除する解除部材７０とから構成されている。
【００４１】
バンド係止部材５５は、２つのバックル保持部４６Ａの間に嵌合されるとともに、保持バンド４０に重ね合わせられる調整バンド３０を保持バンド４０のバンド面４１との間で挟み込むようになっている。バンド係止部材５５には、バンド面４１に当接するように配置され、バックル保持部４６Ａに沿う向きに延びる２つの支持部材５６が設けられている。２つの支持部材５６は、それぞれ対応するバックル保持部４６Ａに沿うように並列に対向配置されることで、調整バンド３０を幅方向から挟むように配置される。
【００４２】
また、バンド係止部材５５には、並列に対向配置された２つの支持部材５６の間隔を調整バンド３０を挿通可能な間隔に維持する連絡部材５７が設けられている。連絡部材５７は支持部材５６の先端部５１に設けられている。連絡部材５７は、２つの支持部材５６に直交するように配置されているとともに、バンド面４１との間隔が調整バンド３０の厚みより長い間隔となるようにも配置されている。これにより、バンド係止部材５５は、支持部材５６にて支持される連絡部材５７を、保持バンド４０との間に挿通された調整バンド３０を跨がせる態様にて支持する。
【００４３】
各支持部材５６には、対応するバックル保持部４６Ａに対向する方向、つまり他方の支持部材５６に対向しない方向に突出する２つの凸部５９が所定の間隔で設けられている。２つの凸部５９の間には所定の間隔が確保されており、当該所定の間隔はバックル保持部４６Ａに設けられている２つの嵌合孔４６ａ，４６ｂの間隔と同じ間隔となっているため、２つの支持部材５６を２つのバックル保持部４６Ａの間に嵌合させることで各凸部５９が対応する嵌合孔４６ａ，４６ｂに嵌合する。これにより、バンド係止部材５５がバックル保持部４６Ａに嵌合固定される。すなわち、バックル５０が保持バンド４０に取り付けられるようになる。
【００４４】
また、支持部材５６には、連絡部材５７から基端部５２寄りの位置に、各支持部材５６が対向する向きに突出する凸ガイド６０が設けられている。凸ガイド６０は、凸ガイド６０とバンド面４１との間の間隔が調整バンド３０の厚さよりも少し広い間隔に設定されており、バンド係止部材５５に挿通された調整バンド３０が、保持バンド４０又は凸ガイド６０に当接しつつ、凸ガイド６０とバンド面４１との間に保持されるようにしている。
【００４５】
これにより、バンド係止部材５５は、バックル保持部４６Ａに取り付けられた状態で、バンド面４１と、２つの支持部材５６と、２つの凸ガイド６０とにより区画される空間に調整バンド３０を挿通させることが可能になっている。
【００４６】
また、バンド係止部材５５には、連絡部材５７から基端部５２の方向に延びる片持ち梁状の付勢部としての弾性板６１が設けられている。弾性板６１は基端が連絡部材５７に接続されているものの、２つの支持部材５６の間に並列配置されている、つまり他の部分はバンド係止部材５５に接続されていないため、弾性板６１の先端がバンド面４１の方向やバンド面４１の反対方向に弾性変形することが可能となっている。
【００４７】
図６に示すように、弾性板６１の先端には、バンド面４１に向けて係合部としての爪部６２が突出している。爪部６２は、断面外形が略三角形状に形成されており、弾性板６１の先端（基端部５２）に向く面が弾性板６１に対し略直角な面、つまりバンド面４１（３１）に対して略直交する面として、バンド面４１（３１）方向に突出されている。また、爪部６２は、弾性板６１の基端（先端部５１）に向く面が弾性板６１に対し傾斜を有する面、つまりバンド面４１（３１）に対して傾斜する面として、バンド面４１（３１）方向に突出されている。さらに、バンド面４１（３１）方向に突出されている爪部６２の先端は、凸ガイド６０よりもバンド面４１寄りまで延びている。このことから、弾性板６１は、バンド面４１と凸ガイド６０との間に進入してきた調整バンド３０を厚み方向に押圧する力を付勢力として爪部６２に加え、その爪部６２を調整バンド３０のバンド面３１に形成された凹部３２に進入させ、嵌合させる。
【００４８】
これらのことから、調整バンド３０がバックル５０に進入するとき、凹部３２の傾斜面が爪部６２の傾斜面に当接する。そのため、こうした凹部３２に進入方向への力が加えられると、凹部３２の傾斜面が爪部６２の傾斜面を介して弾性板６１を押し上げつつ進入方向へ移動するようになる。その一方、調整バンド３０がバックル５０から引き抜かれるとき、凹部３２の垂直な側面が爪部６２の垂直面に当接する。そのため、こうした凹部３２に引き抜かれる方向に力が加えられると、調整バンド３０の凹部３２と爪部６２が係合し、相互の相対位置関係を変化させられない状態となり、保持バンド４０に対しする位置が保持されるようになる。
【００４９】
弾性板６１の爪部６２よりさらに先端には、被連結部６３が形成されている。被連結部６３はバンド面４１に対向する面を有し、当該面にバンド面４１に対向する溝を有している。
【００５０】
なお、バンド係止部材５５は、ポリカーボネート（ＰＣ）やポリアセタール（ＰＯＭ）などの熱可塑性樹脂から形成されている。ポリカーボネートやポリアセタールは、調整バンド３０と係合する爪部６２に適切な耐久性を付与させるとともに、爪部６２が係合される調整バンド３０の凹部３２等の摩耗を適切に抑制させることができる。また、弾性板６１に適切な弾性力を付与させることもできる。なお、熱可塑性樹脂として、ポリエチレンや、ポリスチレンや、ポリ塩化ビニルなどを用いてもよい。
【００５１】
各支持部材５６には、基端部５２側の外側側面であって、対応するバックル保持部４６Ａに対向する側面からバックル保持部４６Ａに向けて突出する円柱状の軸部６４が形成されている。つまり、軸部６４は、支持部材５６から他方の支持部材５６に対向しない方向に突出されている。なお、バックル保持部４６Ａは、軸部６４に対応する部分に軸部６４に干渉しないような凹みが形成されている。２つの軸部６４は、それぞれ連絡部材５７から等間隔の位置に配置されている。つまり、２つの軸部６４は、保持バンド４０の延びる向きに略直交するとともに、バンド面４１に対して並行する１つの軸上に配置されるように形成されている。
【００５２】
また、各支持部材５６の間には、基端部５２側の内側側面に樹脂ばね６５が架設されている。樹脂ばね６５は、両支持部材５６の間に、さらに基端部５２側に突出する当接部としての突出部６６を有している。本実施形態で、樹脂ばね６５は、２つの支持部材５６を連結する棒状部材であり、突出部６６は基端部５２側に迂回するような態様で基端部５２側に突出形成されている。
【００５３】
図５に示すように、解除部材７０は、バンド係止部材５５による調整バンド３０の保持バンド４０への係合を解除するための部材であり、ポリカーボネート（ＰＣ）などの熱可塑性樹脂から形成されている。なお、熱可塑性樹脂として、ポリアセタール、ポリエチレン、ポリスチレン、又は、ポリ塩化ビニルなどを用いてもよい。
【００５４】
解除部材７０は、バンド面４１に並行して対向するように設けられる板状の基材７１を備えているとともに、上述の先端部５１が基材７１において保持バンド４０の先端方向に設けられ、上述の基端部５２が基材７１において保持バンド４０の基端方向に設けられている。また、解除部材７０は、基端部５２にはバンド係止部材５５の２つの軸部６４をそれぞれ回動可能に嵌合させる２つの軸受け部７２を備え、先端部５１には解除部材７０を操作させる操作部７３を備えている。さらに、解除部材７０は、軸受け部７２と操作部７３との間にバンド係止部材５５の被連結部６３にバンド面４１側から当接する連結部としてのフック７４と、軸受け部７２から先端部５１に対して離間する方向に延設される受圧部７５とを備えている。なお、本実施形態においては、受圧部７５に解除部材７０成形用の樹脂ゲート部を設けていることから、その部分に凹部を設けて、成形後に樹脂ゲート部の樹脂が受圧部７５から突出しないようにしている。
【００５５】
各軸受け部７２は、基材７１から突出する形状に形成されており、対応する軸部６４を保持する円形空間７２Ａが形成されているとともに、突出方向先端には、当該円形空間７２Ａに外部から軸部６４を嵌め込むための切り込み７２Ｂが形成されている。これにより、軸部６４を嵌合された軸受け部７２は、軸部６４の中心軸を回動中心にして回動することができるようになる。
【００５６】
操作部７３は、着用者が指をかけ操作するための部分であり、指をかけ易くするための凹部が形成されている。また、指をかけやすくするためや、指により探りやすくするため、操作部７３を基材７１からバンド面４１と反対の方向、すなわち外側方向に盛り上げるようにしてもよい。
【００５７】
フック７４は、係合される被連結部６３をバンド面４１の反対方向に引き上げるための部分であり、基材７１からバンド面４１に向けて突出されているとともに、先端には先端部５１側に延出された返し部７４Ａが形成されている。返し部７４Ａは、基材７１に対向する面に溝が形成されているとともに、当該溝を被連結部６３に形成されている溝に対向させて嵌合させることができるようになっている。また、フック７４は、軸受け部７２と操作部７３との間に設けられているため、フック７４を移動させるために要する力を、てこの原理により調整させることを可能にさせている。すなわち、作用点をフック７４とし、支点を軸受け部７２とし、力点を操作部７３とする構造により、操作部７３に加えられた力が、より大きな力となってフック７４に作用するようになっている。
【００５８】
受圧部７５は、軸受け部７２から先端部５１の反対方向、つまり基端部５２に配置されている。基端部５２は、バンド面４１に近づくように傾斜されている基材７１に対応するため、受圧部７５は、樹脂ばね６５からバンド面４１に沿って突出する突出部６６に当接するようになっている。
【００５９】
次に、このヘルメット用のバックルの作用について、図７を参照して説明する。
図７に示すように、先端部５１をバンド面３１（４１）から離間させる方向、図の矢印方向に押し上げると、解除部材７０の基材７１が軸部６４を傾動中心に傾動する。この傾動に伴って、フック７４がバンド面３１（４１）から離間する方向に移動するとともに、フック７４の返し部７４Ａが弾性板６１の被連結部６３に当接し、被連結部６３をバンド面３１（４１）から離間する方向に移動させる。被連結部６３のバンド面３１（４１）から離間する方向への移動に伴って、弾性板６１と爪部６２とがバンド面３１（４１）から離間する方向へ移動して、爪部６２は調整バンド３０の凹部３２から離脱するようになる。これにより、調整バンド３０と保持バンド４０との係合が解除され、すなわち解除部材７０に作用する傾動力が当該係合の解除力に変換され、保持バンド４０から調整バンド３０を引き抜くことが可能となる。
【００６０】
また、解除部材７０の先端部５１を引く際、先端部５１にはバックル５０を基端部５２方向に押す力が印加されることため、バックル５０からの基端部５２方向への力が保持バンド４０に印加されて保持バンド４０は基端部の方向に引かれるようになる。ところで、ヘッドバンド２０を緩めるためには、保持バンド４０及び調整バンド３０の少なくとも一方を、保持バンド４０又は調整バンド３０の基端部の方向に引くことに保持バンド４０と調整バンド３０との重ね合わせ長さを短くするようにする。つまり、解除部材７０の先端部５１を引くことにより、調整バンド３０と保持バンド４０との係合が解除されるとともに、保持バンド４０はその基端部の方向に引かれるようになるため、通常、別々に操作することが必要である、バンドの解除と緩めが、一つの動作で行えるようになる。
【００６１】
図７に示すように、本実施形態では、保持バンド４０を右に移動させると調整バンド３０が引き抜ける、つまりヘッドバンド２０が緩むような構造となっている。この場合、後頭部に回した右手でバックル５０を操作すると、バックル５０には、先端部５１を引き上げてバンドから離間させる力とともに、腕が自然な位置へ戻る方向である右方向への力も自ずと印加されるようになる。このため、上述した、バンドの解除と緩めが、手や腕の自然の動きの中で一つの動作として行うことができるようになる。
【００６２】
次に、メインバンド２１と、調整バンド３０及び保持バンド４０との分岐構造について、図８を参照して説明する。なお、他方の分岐部２３Ｂと保持バンド４０との分岐構造は、一方の分岐部２３Ａと調整バンド３０との分岐構造に対して鏡像関係にある点が相違するものの、その他の構造は同様である。このことから、以下では、一方の分岐部２３Ａと調整バンド３０との分岐構造について説明をする一方、他方の分岐部２３Ｂと保持バンド４０との分岐構造についてはその説明を割愛する。
【００６３】
図８に示すように、メインバンド２１の一方の分岐部２３Ａには、円状に形成された第１凸部９０と、第１凸部９０の外周に同心円状に形成された第２凸部９１と、第２凸部９１の外周に同心状に形成された第３凸部９２と、第３凸部９２の外周に同心円の円弧からなる第４凸部９３とがそれぞれ設けられている。また、第１凸部９０の中央には第１凸部９０などの円の中心を含む貫通孔９０Ａが形成されている。第３凸部９２の突端部であって外側面には、該外側面の周を４分割した円弧状からなる４つのリブ部９２ａが設けられている。第４凸部９３は、調整バンド３０が可動してもよい範囲を考慮すると、第３凸部９２からメインバンド２１の前側の部分に、円の中心に対して１００°〜１８０°の範囲に設けられることが好ましく、利便性の高い可動範囲を考慮すると略１７０°に設けられる、つまり中心角が略１７０°であることが特に好ましい。この設定により、後に詳述するように、調整バンド３０の必要以上の回転を抑えることができるようにしている。メインバンド２１の後側の部分には、位置決めピン９４が突出形成されている。
【００６４】
また、調整バンド３０の連結部３３には、中心軸８０と、中心軸８０の外側に同心円状に形成された第１突出部８２と、第１突出部８２の外周に同心円状に形成された第２突出部８３と、第２突出部８３の外周に同心円状に形成された第３突出部８４とが設けられている。中心軸８０の先端には、調整バンド３０に向いて開く形状の折り返し部８１が設けられている。第３突出部８４の内側周面には外周側へ凹む溝部が形成されている。連結部３３から延びる中間部３４には、第３突出部８４の外周に沿って円弧状のピンガイド部８５が凹設されている。ピンガイド部８５は、中間部３４に弧状に形成されている部分であって、内側の内周面が第３突出部８４の外周により構成されている。またピンガイド部８５は、凹部内には円弧の両端にストッパ８６がそれぞれ設けられ、第３突出部８４の内側内周面に対向する外側内周面には円の中心方向へ突出する複数の円弧状凸部８７の間の複数の凹みからなる複数の位置決めガイド８８が設けられている。
【００６５】
そして、メインバンド２１の一方の分岐部２３Ａに、調整バンド３０の連結部３３が嵌合される。つまり、貫通孔９０Ａに中心軸８０が挿通されるとともに、貫通孔９０Ａを挿通した中心軸８０の折り返し部８１が開くことにより、中心軸８０が貫通孔９０Ａから抜けないようになっている。また、第１凸部９０と第２凸部９１との間に形成される摺動溝には、摺動突部としての第１突出部８２が嵌合され、第１突出部８２と第２突出部８３との間に形成される摺動溝には、摺動突部としての第２凸部９１が嵌合される。第３突出部８４の内周外面には第３凸部９２が当接嵌合され、第３凸部９２の先端のリブ部９２ａの折り返しが開くことにより、第３突出部８４の内周外面に形成された溝部に嵌り込み、第３突出部８４から第３凸部９２が抜けないようになっている。さらに、第３突出部８４の外周は第４凸部９３に当接することで、第３突出部８４の内周から第３凸部９２が抜けることを防止するようにしている。
【００６６】
また、ピンガイド部８５には、位置決めピン９４が挿入配置される。ピンガイド部８５において位置決めガイド８８が形成されている部分は、位置決めピン９４の幅と同様の空間を内側内周面と外側内周面との間に有しているが、円弧状凸部８７が設けられている部分の幅は狭くなっているため、位置決めピン９４はいずれかの位置決めガイド８８の位置に固定保持されるようになる。なお、円弧状凸部８７が設けられている部分の幅は狭いだけなので強い力を加えることで、円弧状凸部８７を隣接する他の位置決めガイド８８に移動させることもできる。これにより、メインバンド２１に対する調整バンド３０の位置決めが確実な操作感で行われるようになるとともに、位置決め位置が好適に保持されるようになる。すなわち、調整バンド３０は、ピンガイド部８５の内部を円弧状凸部８７が移動可能である角度に対応する角度範囲だけ一方の分岐部２３Ａに対して回動できるようになる。また、メインバンド２１の第４凸部９３に設定された中心角によれば、第４凸部９３の両端部は連結部３３の中心軸８０を中心に調整バンド３０が回転したとき、連結部３３から中間部３４に至る部分が当接することで、調整バンド３０の必要以上の回転を抑えることが可能となる。
【００６７】
ところで、ポリエチレンから形成される分岐部２３Ａと連結部３３とは外力により歪むおそれがある。本実施形態では、分岐部２３Ａと連結部３３とに同様の可撓性を持たせることによって、多少の撓みに対しては、分岐部２３Ａと連結部３３とが同様に歪むことができるようになる。また、分岐部２３Ａと連結部３３とを複数の凸部と突出部との組み合わせにより嵌合させることによって、多少の撓みに対して嵌合を維持するとともに、可動性をも維持することができるようになっている。
【００６８】
以上説明したように、本実施形態のヘルメット用のバックルによれば、以下に列記するような効果が得られるようになる。
（１）解除部材７０の先端部５１がバンドから離間する方向に回転することにより、解除部材７０のフック７４を介して、バンド係止部材５５の爪部６２に解除力が加えられ、バンド係止部材５５の爪部６２とバンドの調整部３５との係合が解除されるようになる。この際、てこの原理を利用してのバンドの解除操作が行われるため、バンドの調整部３５とバンド係止部材５５の爪部６２との係合を解除させるために現に要する力の強弱にかかわらず、解除部材７０の先端部５１の操作に要する力を適切に調整することができるようになる。
【００６９】
また、バンド係止部材５５の爪部６２に加えられる付勢力の一部は、解除部材７０のフック７４を介して、解除部材７０の先端部５１に作用し続けることになる。そのため、バンドから離される方向への傾動力を先端部５１が受けない場合、こうした先端部５１は、上述した付勢力に従ってバンドに近い位置に配置されるようになる。これにより、先端部５１を含む解除部材７０がそれの回転範囲においてバンドに近い状態でバンドが連結されるため、こうした解除部材７０を有するバックルを小型化することが可能になる。
【００７０】
（２）爪部６２における片持ち梁状の弾性板６１が、爪部６２に付勢力を加え、当該弾性板６１の先端に、解除部材７０のフック７４が連結される。そのため、複数の凹部３２と爪部６２との隙間を同じ程度空けるうえでは、弾性板６１の先端以外にフック７４が連結される態様と比べ、弾性板６１に加える力を小さくすることが可能である。そのため、バンドの調整部３５とバンド係止部材５５の爪部６２との係合を解除するうえでは、解除部材７０の先端部５１に必要とされる回転力を小さくすることが可能であるから、バックルの操作性を高めることが可能にもなる。
【００７１】
（３）弾性板６１の先端部に対して当該先端部のバンド側からフック７４が当接するため、弾性板６１とバンドとの間の空間をバンド係止部材５５と解除部材７０との連結部位として利用することが可能になる。そのため、バックルの薄型化を図ることが可能になる。
【００７２】
（４）バンド係止部材５５と解除部材７０とが、軸部６４と該軸部６４に嵌脱可能な樹脂製の軸受け部７２との嵌合により一体化されるため、バンド係止部材５５と解除部材７０とで構成されるバックル５０の組み立てが容易になる。また、バンド係止部材５５と解除部材７０とが軸部６４を介して回動可能に構成されるようになるため、解除部材７０の先端部５１の回転操作も容易となるとともに、先端部５１と基端部５２との間に解除操作の都度かかる疲労を減らすことができる。そのため、基端部５２とバンド係止部材５５とが可撓性の部材で連結されているような場合に比べて、解除操作の繰り返しに対する耐久性を向上させることができるようになる。
【００７３】
（５）解除操作されていない場合、解除部材７０の先端部５１はバンドに近い位置で保持されるようになる。そのため、バックルの小型化がより好適に行えるようになる。
（６）バンド係止部材５５をバンドよりも硬質の部材を用いることで、バンド係止部材５５の弾性板６１が爪部６２に加える付勢力、あるいはバンド係止部材５５の突出部６６が解除部材７０に与える付勢力などを高めることができる。
【００７４】
（７）バックル５０によりバンドの締め付け位置を調整することができるため、着用者の感じる違和感を抑制することができる。また、バンドとしても、頭部の形状への適合性が向上し、適切な装着が期待される。
【００７５】
（８）分岐部２３Ａ（２３Ｂ）の摺動溝と調整バンド３０や保持バンド４０の摺動突部とが各々の全周に渡って嵌合するため、取付部に対して調整バンド３０や保持バンド４０が回動可能になる一方、これらの嵌合力が高められもするため、こうした嵌合が外れるおそれが低減される。つまり、バンドは柔軟性のある材料から構成されているため、分岐部や各バンドは外力により歪むおそれがあるが、分岐部と各バンドとの嵌合している長さが長いことから、上述した歪みに対する嵌合状態の維持力が強くなる。また、摺動溝や摺動突部が分岐部や各バンドと同じ材料から形成されているため、嵌合を維持しつつある程度歪むこともできるようにもなる。これにより、ヘルメットのヘッドバンドの柔軟性が維持されるようになる。
【００７６】
（９）バンドに形成される回動可能な分岐構造に、適度な強度と柔軟性を付与することができるようになる。
（その他の実施形態）
なお上記実施形態は、以下の態様で実施することもできる。
【００７７】
・上記実施形態では、バンド係止部材５５の連絡部材５７から爪６２部まで所定の幅の弾性板６１が延設されている場合について例示した。しかしこれに限らず、弾性板は爪部を調整バンドに押し付けて調整バンドの凹部に嵌合させることがでるのであればどのような形状で設けられていてもよい。例えば、図９に示すように、連絡部材５７から延出される弾性板を、薄肉部６１Ａと爪支持部６１Ｂとから構成してもよい。すなわち、薄肉部６１Ａの肉厚を連絡部材５７に対して薄くしたり、薄肉部６１Ａの幅を爪支持部６１Ｂに比べて狭くしたりするようにしてもよい。このように、薄肉部６１Ａの肉厚を変化させたり、幅を変化させたりすることによって、調整バンドに対する爪部６２の押し付け圧を調整して、バックルによる解除操作に要する力を弾性板６１により調整することができるようにすることができる。これにより、ヘルメット用のバックルとしての設計自由度が高くなるようになる。
【００７８】
・上記実施形態では、棒状の樹脂ばね６５を迂回させる態様で突出部６６を設ける場合について例示した。しかしこれに限らず、支持部材に直交するように直線状に設けた樹脂ばねから突出部が突出形成されるようにして設けられてもよい。つまり、解除部材の回動軸を挟んで自由端の反対側に対してバンド面から離間する方向へ力を付勢することができるようになっていればよい。これにより、バックルの設計自由度が高まり、バックルにおける操作部材の位置保持が好適に行えるようになる。
【００７９】
・上記実施形態では、解除部材７０はバンド係止部材５５に対して回動可能である場合について例示した。しかしこれに限らず、バンド係止部材の爪部をバンドの反対方向へ移動させるために解除部材をバンドの反対方向に操作できるのであれよい。例えば、解除部材がバンド係止部材に板状の部材により連結されるなど、解除部材がバンド係止部材に対して撓むなどして移動可能になっているのであれば、解除部材の係止部材に対する固定の態様はどのような態様であってもよい。これにより、バックル構造の自由度が向上されるようになる。
【００８０】
・上記実施形態では、解除部材７０とバンド係止部材５５とが別部材からなる場合について例示した。しかしこれに限らず、バンド係止部材の爪部をバンドの反対方向へ移動させるために解除部材をバンドの反対方向に操作できるのであれば、解除部材とバンド係止部材とが一体の部材より形成されていてもよい。この場合、解除部材をバンド係止部材に対して撓むように形成すればよい。これにより、バックル構造の自由度が向上されるようになる。
【００８１】
・上記実施形態では、解除部材７０は受圧部７５を付勢される場合を例示した。しかしこれに限らず、解除部材は、受圧部を付勢されなくてもよい。この場合、バンド係止部材に樹脂ばねも不要である。この場合であっても、被連結部とフックとが当接することで解除部材の操作部のバンド面からの離間を防ぐことができる。これにより、ヘルメット用のバックルとしての設計自由度が向上するようになる。
【符号の説明】
【００８２】
１０…帽体、１２…開口部、１４…折り返し部、２０…ヘッドバンド、２１…メインバンド、２２…バンド係止部、２３Ａ…分岐部、２３Ｂ…分岐部、３０…調整バンド、３１…バンド面、３２…凹部、３３…連結部、３４…中間部、３５…調整部、４０…保持バンド、４１…バンド面、４３…連結部、４４…中間部、４５…保持部、４６…バックル取付部、４６Ａ…バックル保持部、４６ａ，４６ｂ…嵌合孔、４７…バンド保持部、４８…かぎ爪部、５０…バックル、５１…先端部、５１Ａ，５１Ｂ…側面、５２…基端部、５５…バンド係止部材、５６…支持部材、５７…連絡部材、５９…凸部、６０…凸ガイド、６１…弾性板、６１Ａ…薄肉部、６１Ｂ…爪形成部、６２…爪部、６３…被連結部、６４…軸部、６５…樹脂ばね、６６…突出部、７０…解除部材、７１…基材、７２…軸受け部、７２Ａ…円形空間、７２Ｂ…切り込み、７３…操作部、７４…フック、７４Ａ…返し部、７５…受圧部、８０…中心軸、８１…折り返し部、８２…第１突出部、８３…第２突出部、８４…第３突出部、８５…ピンガイド部、８６…ストッパ、８７…円弧状凸部、８８…位置決めガイド、９０…第１凸部、９０Ａ…貫通孔、９１…第２凸部、９２…第３凸部、９２ａ…リブ部、９３…第４凸部、９４…位置決めピン。
【図１】
0005899836.tif 000002
【図２】
0005899836.tif 000003
【図３】
0005899836.tif 000004
【図４】
0005899836.tif 000005
【図５】
0005899836.tif 000006
【図６】
0005899836.tif 000007
【図７】
0005899836.tif 000008
【図８】
0005899836.tif 000009
【図９】
0005899836.tif 000010